(57)【要約】      （修正有）【課題】従来の金型（パンチ・ダイ）のうち、ダイだけでも使用できるアダプターを提供する。【解決手段】ダイ取付レールとダイ間にアダプターを介してダイを取付けるようにする。こうすることにより、ダイは従来のダイが使用できる。このアダプターの構造は、アダプターベース３にクランプ４を仮セット後、ボルト１を２本途中まで締めこむ、１Ｖダイ２を所定の位置にセットし、ボルト１を締め込み取り付ける。【選択図】図１
0003154033.tif 000002
【実用新案登録請求の範囲】
【請求項１】
（公序良俗違反につき、不掲載）クランプシステム搭載ベンダーには専用金型（パンチ・ダイ）が必要であるが、ダイ取付レールとダイ間にアダプターを介してダイを取付るようにする。こうすることにより、ダイは（公序良俗違反につき、不掲載）クランプシステム仕様ダイでなくてもアダプターを介することにより従来のダイが使用できる。
【請求項２】
アダプターはダイの保持方法により２種類ある。一つは図１のボルトを介しての挟み保持方式、もう一つは図２のボルトを介しての拡げ保持方式である。
【考案の詳細な説明】
【技術分野】
【０００１】  本考案は、（公序良俗違反につき、不掲載）クランプシステム搭載のベンダーには専用金型（パンチ・ダイ）が必要であるがダイ取付レールとダイ間にアダプターを介してダイを取付ることにより従来のダイも使用できるようにする。
【背景技術】
【０００２】  製品の小型化や部品点数の削減に伴って、個々の部品の精密さ・複雑さがますます求められています。このため１台のベンダーで多くの工程を連続してこなす加工が、重視されるようになりました。【０００３】  （公序良俗違反につき、不掲載）クランプシステムは加工方法の合理化を追求するあまり、ベンダーに使用する金型（パンチ・ダイ）まで標準化してしまい、従来の金型が使用できなくなりました。従来の金型（パンチ・ダイ）のうち、ダイだけでも使用できるならばダイ製作の重複投資が避けられ、コストダウンに繋がる。
【考案が解決しようとする課題】
【０００４】  （公序良俗違反につき、不掲載）クランプシステムの良い点は最大限利用し、従来のダイが使用できない点を改善し、使用できるよう提供するものである。
【課題を解決するための手段】
【０００５】  上記の課題を解決するため、（請求項１）（公序良俗違反につき、不掲載）クランプシステム搭載ベンダーには専用金型（パンチ・ダイ）が必要であるが、ダイ取付レールとダイ間にアダプターを介してダイを取付るようにする。こうすることにより、ダイは（公序良俗違反につき、不掲載）クランプシステム仕様ダイでなくてもアダプターを介することにより従来のダイが使用できる。（請求項２）アダプターはダイの保持方法により２種類ある。一つは図１のボルトを介しての挟み保持方式、もう一つは図２のボルトを介しての拡げ保持方式である。
【０００６】  このアダプターの母材は、高速度工具鋼もしくは合金工具鋼でいいが、これに限定されるものではない。
【作用】
【０００７】  （公序良俗違反につき、不掲載）クランプシステム搭載のベンダーにおいてダイ取付レールとダイ間にアダプターを介してダイを取付ることにより従来のダイを使用できる。
【０００８】  本考案のアダプターのダイ取付方法には図１のボルトを介しての挟み保持方式、４クランプＡを１ボルトで締めこむことにより２・１Ｖダイを挟み保持する。図２のボルトを介しての拡げ保持方式、８クランプＢを５ボルトで締めこむことにより、６ウイング・ベンドＢ（ダイ）の内側を拡げ保持する。この場合の２・１Ｖダイ及び６ウイング・ベンドＢ（ダイ）はベンダー金型のダイに相当する。
【考案実施の形態】
【０００９】  図１に、本考案のアダプターの実施形態を示す。これは１ボルト・４クランプＡを介して２・１Ｖダイ挟む保持方式アダプターへの適用例である。
【００１０】  図１の１はボルト、２・１Ｖダイ、３はアダプターベースＡ、４はクランプＡである。
【００１１】  このアダプターの構造は、３アダプターベースＡに４クランプＡを仮セット後、１ボルト２本を途中まで締めこむ、２・１Ｖダイを所定の位置にセットし、１ボルトを締め込み取付ける。
【００１２】  図２に、本考案のアダプターの実施形態を示す。これは５ボルト・８クランプＢを介して６ウイング・ベンドＢ（ダイ）の拡げ保持方式アダプターへの適用例である。
【００１３】  図２の５はボルト、６はウイング・ベンドＢ（ダイ）、７はアダプターベースＢ、８はクランプＢである。
【００１４】  このアダプターの構造は、７アダプターベースＢに８クランプＡを仮セット後、５ボルト２本を途中まで締めこむ、６ウイング・ベンドＢ（ダイ）を所定の位置にセットし、ボルトを締め込み取付ける。
【００１５】  （公序良俗違反につき、不掲載）クランプシステムではパンチの高さを統一し、芯出し作業を不要にしたことにより、金型交換後すぐに曲げ作業ができます。ダイ高さを一定高さにするために、ダイとアダプターの組合せ高さを事前に設定する。
【効果】
【００１６】  本考案のアダプターは、（公序良俗違反につき、不掲載）クランプシステム搭載のベンダーにおいてダイ取付レールとダイ間にアダプターを介してダイを取付ることにより従来のダイを使用できる。このことにより、ダイ製作の重複投資が避けられ、コストダウンに繋がる。
【実施例１】
【００１７】  図３の（公序良俗違反につき、不掲載）クランプシステム搭載のベンダーの１３ダイ取付けレールに１２ベンダー金型・アダプターを介して従来の１１・１Ｖダイを取付曲げ作業をした。【００１８】  （公序良俗違反につき、不掲載）クランプシステムの特徴である。パンチの高さを統一し、芯出し作業を不要にしたことにより、金型交換後すぐに曲げ作業ができた。
【図面の簡単な説明】
【００１９】
【図１】本考案アダプター（ボルトを介しての挟み保持方式）原理図
【図２】本考案アダプター（ボルトを介しての拡げ保持方式）原理図
【図３】本考案アダプター・ダイ取付レールへの取付図
【符号の説明】
【００２０】１  ボルト
２  １Ｖダイ
３  アダプターベースＡ
４  クランプＡ
５  ボルト
６  ウイング・ベンドＢ（ダイ）
７  アダプターベースＢ
８  クランプＢ
９  パンチ取付レール
１０パンチ
１１・１Ｖダイ
１２ベンダー金型・アダプター
１３ダイ取付レール
【図１】
0003154033.tif 000003
【図２】
0003154033.tif 000004
【図３】
0003154033.tif 000005
【手続補正書】
【提出日】平成21年5月20日(2009.5.20)
【手続補正１】
【補正対象書類名】明細書
【補正対象項目名】０００１
【補正方法】変更
【補正の内容】
【０００１】  本考案は、クランプシステム搭載のベンダーには専用金型（パンチ・ダイ）が必要であるが、ダイ取付レールに取付けできる共通取付部形状を有したアダプターにダイを取付けることにより、クランプシステム仕様ダイでなくても使用できる。
【手続補正２】
【補正対象書類名】明細書
【補正対象項目名】０００３
【補正方法】変更
【補正の内容】
【０００３】  クランプシステムは加工方法の合理化を追求するあまり、ベンダーに使用する金型（パンチ・ダイ）まで標準化してしまい、クランプシステム仕様外の金型が使用できなくなりました。クランプシステム仕様外の金型（パンチ・ダイ）のうち、ダイだけでも使用できるならばダイ製作の重複投資が避けられ、コストダウンに繋がる。
【手続補正３】
【補正対象書類名】明細書
【補正対象項目名】０００４
【補正方法】変更
【補正の内容】
【０００４】  クランプシステムの良い点は最大限利用し、クランプシステム仕様外ダイが使用できない点を改善し、使用できるよう提供するものである。
【手続補正４】
【補正対象書類名】明細書
【補正対象項目名】０００５
【補正方法】変更
【補正の内容】
【０００５】  上記の課題を解決するため、（請求項１）クランプシステム搭載ベンダーには専用金型が必要であるが、ダイ取付レールに取付けできる共通取付部形状を有したアダプターにダイを取付けることにより、クランプシステム仕様ダイでなくてもアダプターを介することにより使用できる。（請求項２）ダイのアダプターへの取付は２種類あり、一つはアダプターベースにダイをセットし、クランプ部品を介してボルトで締める挟み保持方式、もう一つはアダプターベースにダイをセットし、クランプ部品を介してボルトを締める拡げ保持方式にした請求項１に記載したアダプター。
【手続補正５】
【補正対象書類名】明細書
【補正対象項目名】０００７
【補正方法】変更
【補正の内容】
【０００７】  クランプシステム搭載のベンダーにおいてダイ取付レールに取付けできる共通取付部形状を有したアダプターにダイを取付けることにより、クランプシステム仕様ダイでなくても使用できる。
【手続補正６】
【補正対象書類名】明細書
【補正対象項目名】０００８
【補正方法】変更
【補正の内容】
【０００８】  本考案のアダプターへのダイ取付方法には図１のボルトを介しての挟み保持方式、１Ｖダイ２をアダプターベースＡ３にセットし、クランプＡ４を介してボルト１で締めこむことにより１Ｖダイ２を挟み保持する。図２のボルトを介しての拡げ保持方式、ウイング・ベンドＢ（ダイ）６をアダプターベースＢ７にセットし、クランプＢ８を介してボルト５で締めこむことにより、ウイング・ベンドＢ（ダイ）６の内側を拡げ保持する。この場合の１Ｖダイ２及びウイング・ベンドＢ（ダイ）６はベンダー金型のダイに相当する。
【手続補正７】
【補正対象書類名】明細書
【補正対象項目名】０００９
【補正方法】変更
【補正の内容】
【０００９】  図１に、本考案のアダプターの実施形態を示す。これは１Ｖダイ２をアダプターベースＡ３にセットし、クランプＡ４を介してボルト１で締めこむことにより１Ｖダイ２を挟む保持方式アダプターの適用例である。
【手続補正８】
【補正対象書類名】明細書
【補正対象項目名】００１０
【補正方法】変更
【補正の内容】
【００１０】  図１の１はボルト、２は１Ｖダイ、３はアダプターベースＡ、４はクランプＡである。
【手続補正９】
【補正対象書類名】明細書
【補正対象項目名】００１１
【補正方法】変更
【補正の内容】
【００１１】  このアダプターの構造は、アダプターベースＡ３にクランプＡ４を仮セット後、ボルト１・２本を途中まで締めこむ、１Ｖダイ２を所定の位置にセットし、ボルト１を締め込み取付ける。
【手続補正１０】
【補正対象書類名】明細書
【補正対象項目名】００１２
【補正方法】変更
【補正の内容】
【００１２】  図２に、本考案のアダプターの実施形態を示す。これはウイング・ベンドＢ（ダイ）６をアダプターベースＢ７にセットし、クランプＢ８を介してボルト５で締めこむことによりウイング・ベンドＢ（ダイ）６の拡げ保持方式アダプターの適用例である。
【手続補正１１】
【補正対象書類名】明細書
【補正対象項目名】００１４
【補正方法】変更
【補正の内容】
【００１４】  このアダプターの構造は、アダプターベースＢ７にクランプＡ８を仮セット後、ボルト５・２本を途中まで締めこむ、ウイング・ベンドＢ（ダイ）６を所定の位置にセットし、ボルトを締め込み取付ける。
【手続補正１２】
【補正対象書類名】明細書
【補正対象項目名】００１５
【補正方法】変更
【補正の内容】
【００１５】  例えば、オランダのＷＩＬＡ社クランプシステムではパンチの高さを統一し、芯出し作業を不要にしたことにより、金型交換後すぐに曲げ作業ができます。ダイ高さを一定高さにするために、ダイとアダプターの組合せ高さを事前に設定する。
【手続補正１３】
【補正対象書類名】明細書
【補正対象項目名】００１６
【補正方法】変更
【補正の内容】
【００１６】  本考案のアダプターは、クランプシステム搭載のベンダーにおいてダイ取付レールに取付けできる共通取付部形状を有したアダプターにダイを取付けることにより、クランプシステム仕様ダイでなくても本考案アダプターを介することにより使用できる。このことにより、ダイ製作の重複投資が避けられ、コストダウンに繋がる。
【手続補正１４】
【補正対象書類名】明細書
【補正対象項目名】００１７
【補正方法】変更
【補正の内容】
【００１７】  図３のクランプシステム搭載のベンダーのダイ取付けレール１３にベンダー金型・アダプター１２を介して１Ｖダイ１１を取付曲げ作業をした。
【手続補正１５】
【補正対象書類名】明細書
【補正対象項目名】００１８
【補正方法】変更
【補正の内容】
【００１８】  クランプシステムの特徴である。パンチの高さを統一し、芯出し作業を不要にしたことにより、金型交換後すぐに曲げ作業ができた。
【手続補正１６】
【補正対象書類名】実用新案登録請求の範囲
【補正対象項目名】請求項１
【補正方法】変更
【補正の内容】
【請求項１】
クランプシステム搭載ベンダーには専用金型が必要であるが、ダイ取付レールに取付けできる共通取付部形状を有したアダプターにダイを取付けることにより、クランプシステム仕様ダイでなくてもアダプターを介することにより使用できる。
【手続補正１７】
【補正対象書類名】実用新案登録請求の範囲
【補正対象項目名】請求項２
【補正方法】変更
【補正の内容】
【請求項２】
ダイのアダプターへの取付は２種類あり、一つはアダプターベースにダイをセットし、クランプ部品を介してボルトで締める挟み保持方式、もう一つはアダプターベースにダイをセットし、クランプ部品を介してボルトを締める拡げ保持方式にした請求項１に記載したアダプター。
【手続補正書】
【提出日】平成21年7月9日(2009.7.9)
【手続補正１】
【補正対象書類名】明細書
【補正対象項目名】０００５
【補正方法】変更
【補正の内容】
【０００５】  上記の課題を解決するため、（請求項１）クランプシステム搭載ベンダーには専用金型が必要であるが、ダイ取付レールに取付けできる共通取付部形状を有したアダプターにダイを取付けることにより、クランプシステム仕様ダイでなくてもアダプターを介することにより取付けできることを特徴とするアダプター（請求項２）ダイのアダプターへの取付は２種類あり、一つはアダプターベースにダイをセットし、クランプ部品を介してボルトで締める挟み保持方式、もう一つはアダプターベースにダイをセットし、クランプ部品を介してボルトを締める拡げ保持方式の２つを備えた請求項１に記載したアダプター。
【手続補正２】
【補正対象書類名】実用新案登録請求の範囲
【補正対象項目名】請求項１
【補正方法】変更
【補正の内容】
【請求項１】
クランプシステム搭載ベンダーには専用金型が必要であるが、ダイ取付レールに取付けできる共通取付部形状を有したアダプターにダイを取付けることにより、クランプシステム仕様ダイでなくてもアダプターを介することにより取付けできるこちを特徴とするアダプター。
【手続補正３】
【補正対象書類名】実用新案登録請求の範囲
【補正対象項目名】請求項２
【補正方法】変更
【補正の内容】
【請求項２】
ダイのアダプターへの取付は２種類あり、一つはアダプターベースにダイをセットし、クランプ部品を介してボルトで締める挟み保持方式、もう一つはアダプターベースにダイをセットし、クランプ部品を介してボルトを締める拡げ保持方式の２つを備えた請求項１に記載したアダプター。